(57)【要約】【課題】本発明は、個々の積みブロックを用途に応じた形状・形態に変えたり、軽量化して擁壁等を構築する際にも作業性が良く、また高く積み上げて擁壁等を構築する際の負荷を大幅に軽減することを可能とした係合体構造機能変身重装型積みブロックを提供することを目的とする。【解決手段】少なくとも上下面に対称に係合用突起部および係合用凹部を形成した構築用ブロック体を、前記係合用突起部と係合用凹部を咬み合せるように複数段積上げて構造物を構築する係合型積みブロックであって、該係合型積みブロックを構成するコンクリート内には所望長さの筒状の他材質物を内蔵してあることを特徴とする係合体構造機能変身重装型積みブロック。【選択図】  図１
2017198022.tif 000002
【特許請求の範囲】
【請求項１】
少なくとも上下面に対称に係合用突起部および係合用凹部を形成した構築用ブロック体を、前記係合用突起部と係合用凹部を咬み合せるように複数段積上げて構造物を構築する係合型積みブロックであって、該係合型積みブロックを構成するコンクリート内には所望長さの筒状の他材質物を内蔵してあることを特徴とする係合体構造機能変身重装型積みブロック。
【請求項２】
前記コンクリート内に所望長さの筒状の他材質物を内蔵した係合型積みブロックは、筒状の他材質物がその筒状内部にもコンクリートが充填されていることを特徴とする請求項１に記載の係合体構造機能変身重装型積みブロック。
【請求項３】
前記コンクリート内に所望長さの筒状の他材質物を内蔵した係合型積みブロックは、筒状の他材質物が太さの異なる複数の筒状の他材質物を結束したものであることを特徴とする請求項１または２に記載の係合体構造機能変身重装型積みブロック。
【請求項４】
前記コンクリート内に所望長さの筒状の他材質物を内蔵した係合型積みブロックは、筒状の他材質物が複数の筒状の他材質物を所定の間隔で平行に配設したものであることを特徴とする請求項１または２に記載の係合体構造機能変身重装型積みブロック。
【請求項５】
前記コンクリート内に所望長さの筒状の他材質物を内蔵した係合型積みブロックは、前記各係合型積みブロックの係合面の両側面に繋がるそれぞれ遮水材を配設する遮水溝が形成されていることを特徴とする請求項１ないし４のいずれかに記載の係合体構造機能変身重装型積みブロック。
【請求項６】
前記コンクリート内に所望長さの筒状の他材質物を内蔵した係合型積みブロックは、該各係合型積みブロックの上面係合面に給水時や自然雨水時に吸着機能を発揮する吸盤部が形成されていることを特徴とする請求項１ないし５のいずれかに記載の係合体構造機能変身重装型積みブロック。
【請求項７】
前記コンクリート内に所望長さの筒状の他材質物を内蔵した係合型積みブロックは、該係合型積みブロックが上面に所望角度の傾斜構造が形成されていることを特徴とする請求項１ないし６のいずれかに記載の係合体構造機能変身重装型積みブロック。
【請求項８】
前記コンクリート内に所望長さの筒状の他材質物を内蔵した係合型積みブロックは、該係合型積みブロックが幅広の底面部を有する基礎構造に形成されていることを特徴とする請求項１ないし７のいずれかに記載の係合体構造機能変身重装型積みブロック。
【請求項９】
前記コンクリート内に所望長さの筒状の他材質物を内蔵した係合型積みブロックは、該係合型積みブロックが上面にＵ字溝を連結したＷ型構造に形成されていることを特徴とする請求項１ないし８のいずれかに記載の係合体構造機能変身重装型積みブロック。
【請求項１０】
前記コンクリート内に所望長さの筒状の他材質物を内蔵した係合型積みブロックの中心部は、該係合型積みブロックが適宜形態の分岐構造に形成されており、種々の分岐構造に連結可能であることを特徴とする請求項１ないし９のいずれかに記載の係合体構造機能変身重装型積みブロック。
【請求項１１】
前記コンクリート内に所望長さの筒状の他材質物を内蔵した係合型積みブロックは、側面に斜め下方に向かう複数の連結孔が形成されており、補強部材の側面に突設された斜め下方に向かう複数の連結棒を該連結孔にはめ込んで強固に組み付けられるようにしたことを特徴とする請求項１ないし１０のいずれかに記載の係合体構造機能変身重装型積みブロック。
【請求項１２】
前記コンクリート内に所望長さの筒状の他材質物を内蔵した係合型積みブロックは、該係合型積みブロックからなる枠体の内側に戸袋状の開口が形成されていることを特徴とする請求項１ないし１１のいずれかに記載の係合体構造機能変身重装型積みブロック。
【請求項１３】
前記コンクリート内に所望長さの筒状の他材質物を内蔵した係合型積みブロックは、前記係合型積みブロック内部が内部充填可能な中空構造に形成されていることを特徴とする請求項１ないし１２のいずれかに記載の係合体構造機能変身重装型積みブロック。
【請求項１４】
前記コンクリート内に所望長さの筒状の他材質物を内蔵した係合型積みブロックは、両端にＴ字形の係合突起およびＴ字形の係合切欠きが設けられており、係合体構造機能変身重装型積みブロックのＴ字形の先端を係合体構造機能変身重装型積みブロックの係合切欠きにはめ込むことによって、強固に連結することができるようにしたことを特徴とする請求項１ないし１３のいずれかに記載の係合体構造機能変身重装型積みブロック。
【請求項１５】
前記コンクリート内に所望長さの筒状の他材質物を内蔵した係合型積みブロックは、該係合型積みブロックがその側面に衝撃吸収材を貼付されていることを特徴とする請求項１ないし１４のいずれかに記載の係合体構造機能変身重装型積みブロック。
【請求項１６】
前記コンクリート内に所望長さの筒状の他材質物を内蔵した係合型積みブロックの上下対称部は、該係合型積みブロックが波形溝を上下に形成されており、隣接する係合型積みブロックの波形溝どうしを係合させて段差を有するように連結したことを特徴とする請求項１ないし１５のいずれかに記載の係合体構造機能変身重装型積みブロック。
【請求項１７】
前記コンクリート内に所望長さの筒状の他材質物を内蔵した係合型積みブロックは、該係合型積みブロックがその側面に観賞用植生体を連続保持する植生懸架溝を形成されていることを特徴とする請求項１ないし１６のいずれかに記載の係合体構造機能変身重装型積みブロック。
【請求項１８】
前記コンクリート内に所望長さの筒状の他材質物を内蔵した係合型積みブロックは、該係合型積みブロックがその上面に浄化用植生体を保持する植生用凹溝を形成されていることを特徴とする請求項１ないし１７のいずれかに記載の係合体構造機能変身重装型積みブロック。
【請求項１９】
前記コンクリート内に所望長さの筒状の他材質物を内蔵した係合型積みブロックは、該係合型積みブロックがその外面に制流用突起稜を形成されていることを特徴とする請求項１ないし１８のいずれかに記載の係合体構造機能変身重装型積みブロック。
【請求項２０】
前記コンクリート内に所望長さの筒状の他材質物を内蔵した係合型積みブロックは、該係合型積みブロックが長さ方向に沿ってテーパ状で円弧状に形成されていることを特徴とする請求項１ないし１９のいずれかに記載の係合体構造機能変身重装型積みブロック。
【請求項２１】
前記コンクリート内に所望長さの筒状の他材質物を内蔵した係合型積みブロックは、該係合型積みブロックが長さ方向に沿ってテーパ状でかつ上下同一形状の串状形態に形成されていることを特徴とする請求項１ないし２０のいずれかに記載の係合体構造機能変身重装型積みブロック。
【請求項２２】
前記コンクリート内に所望長さの筒状の他材質物を内蔵した係合型積みブロックは、長さ方向の端部にＹ字部を有する串状構造を備えたものであることを特徴とする請求項１ないし２１のいずれかに記載の係合体構造機能変身重装型積みブロック。
【請求項２３】
前記コンクリート内に所望長さの筒状の他材質物を内蔵した係合型積みブロックは、該上下平行傾斜面とした積みブロックを半割りの部材に分割した構造で準備し、それらを接合して組み付けたことを特徴とする請求項１ないし２２のいずれかに記載の係合体構造機能変身重装型積みブロック。
【請求項２４】
前記コンクリート内に所望長さの筒状の他材質物を内蔵した係合型積みブロックは、長さ方向の少なくとも一端に係合用突起部を形成するとともに、中間部分に係合用凹部を形成し、かつそれぞれ係合用突起部と係合用凹部を長さ方向に沿って分断して積みブロックの中央に水平段差か傾斜状段差を形成したことを特徴とする請求項１ないし２３のいずれかに記載の係合体構造機能変身重装型積みブロック。
【請求項２５】
前記コンクリート内に所望長さの筒状の他材質物を内蔵した係合型積みブロックは、長さ方向の少なくとも一端に係合用突起部を形成するとともに、中間部分に係合用凹部を形成し、それぞれ係合用突起部と係合用凹部を積みブロックの長さ方向に沿って分断して積みブロックの中央に水平段差か傾斜状段差を形成するとともに、前記一端の係合用突起部とは反対側の面に、積みブロックの長さ方向に直交する凹溝を形成したことを特徴とする請求項１ないし２４のいずれかに記載の係合体構造機能変身重装型積みブロック。
【請求項２６】
前記コンクリート内に所望長さの筒状の他材質物を内蔵した係合型積みブロックは、上下の積みブロックの間にコイルバネもしくはゴム状弾性材を介在させ、かつ活動用鉄枠を用いて耐震用ブロックの用途に使用できるようにしたことを特徴とする請求項１ないし２５のいずれかに記載の係合体構造機能変身重装型積みブロック。
【請求項２７】
前記コンクリート内に所望長さの筒状の他材質物を内蔵した係合型積みブロックは、該積みブロックを複数の部材に分割した構造で準備し、それらを接合して組み付けたことを特徴とする請求項１ないし２６のいずれかに記載の係合体構造機能変身重装型積みブロック。
【請求項２８】
前記コンクリート内に所望長さの筒状の他材質物を内蔵した係合型積みブロックは、該積みブロックとして複数の部材に分割した構造の焼成材を準備するに際し、焼成機内での寸法誤差を解消するために各焼成群を焼成の適宜段階で配置換えし、各焼成群を均一に焼成できるようにしたことを特徴とする請求項１ないし２７のいずれかに記載の係合体構造機能変身重装型積みブロックの焼成法。
【請求項２９】
前記コンクリート内に所望長さの筒状の他材質物を内蔵した係合型積みブロックは、所望形状の凹凸を形成した樹脂成型品を準備し、それらを用いて係合型積みブロックを成形するようにしたことを特徴とする請求項１ないし２８のいずれかに記載の係合体構造機能変身重装型積みブロックの製造方法。
【請求項３０】
前記コンクリート内に所望長さの筒状の他材質物を内蔵した係合型積みブロックは、該積みブロックを複数段積み上げるに際し、所望長さの上面が水平となるようにしたテーパ状断面のレール盤を構築物の上部に搭載し、その上面に形成したスライド溝に沿って次の積みブロックが搬送できるようにしたことを特徴とする請求項１ないし２９のいずれかに記載の係合体構造機能変身重装型積みブロックの搬送装置。
【請求項３１】
前記コンクリート内に所望長さの筒状の他材質物を内蔵した係合型積みブロックは、該積みブロックを複数成形するに際し、ハニカム構造の成形型を準備して、一度に多数の積みブロックを成形することにより、低耕農地どうしの嵩上げに利用するようにしたことを特徴とする請求項１ないし３０のいずれかに記載の係合体構造機能変身重装型積みブロックの嵩上げ工法。
【請求項３２】
前記コンクリート内に所望長さの筒状の他材質物を内蔵した係合型積みブロックは、該積みブロックでトンネル構造を構築し、さらに軽量ブロックを積み上げて低耕農地の嵩上げを行うようにしたことを特徴とする請求項１ないし３１のいずれかに記載の係合体構造機能変身重装型積みブロックの高層嵩上げ工法。
【請求項３３】
前記コンクリート内に所望長さの筒状の他材質物を内蔵した係合型積みブロックは、係合用突起部および係合用凹部で構成される係合面とは反対の面に、複数の筒状の丸竹材を上下に並設した状態で保持する連結溝を対向するよう形成したことを特徴とする請求項１ないし３２のいずれかに記載の係合体構造機能変身重装型積みブロック。
【発明の詳細な説明】
【技術分野】
【０００１】
この発明は、少なくとも上下面に対称に係合用突起部および係合用凹部を形成した構築用ブロック体を、前記係合用突起部と係合用凹部を咬み合せるように複数段積上げて構造物を構築する係合型積みブロックの改良に関する。
【背景技術】
【０００２】
従来の積みブロックや間知ブロックにおいては、当接位置に嵌合するための凹部や凸部が形成される場合でも、それは単なる位置決め程度のものであり、コンクリート製積みブロックや間知ブロックで擁壁を構築する場合には鉄筋工事や前記胴込みコンクリートによる打設工事を必要とし、かつ、モルタルセメントによる目地詰めを必要とした。また、法勾配付のコーナーにおいても現場でのコンクリート打設工事に頼らざるをえなかった。
特に、従来の間知ブロックによる擁壁の施工にあっては、前記したようなコンクリート打設工事等による現場施工比率が非常に高いので、工期も長く、また組積みのための専門職人を必要とし、労賃もかかるので、コストが嵩む問題があった。そして、施工後数年経過すると間知ブロックと打設コンクリートとが自然剥離する場合もあり、基礎ベースが災害により流失した場合、ブロック相互間に相互係合保持性機能がないことから、擁壁が部分崩壊を起こすという問題もあった。
また、擁壁が不要となったり、他の場所へ移設させる必要が生じても、相互のブロックが胴込みコンクリートによる打設工事等により一体化されているので、再利用は困難であり破砕して産業廃棄物として処分する以外にはなかった。
【０００３】
そこで本発明者は、特許第３４３０４１０号公報（特許文献１参照）記載の発明のように、擁壁の基礎ベースさえ施工すれば、熟練者でなくても組積みするだけで簡単に擁壁を短期構築でき、前記したようなコンクリート打設工事や目地詰め作業等の現場工事や専門職人を必要とせず、また擁壁が不要になったときは、ブロックを組み外して再利用可能な係合型積みブロックと勾配対応型の係合型積みブロックの製造装置を提案した。
【先行技術文献】
【特許文献】
【０００４】
【特許文献１】特許第３４３０４１０号公報
【発明の概要】
【発明が解決しようとする課題】
【０００５】
しかしながら、前記発明においては多数の係合型積みブロックを積み上げて擁壁等を構築するものであり、個々の積みブロックが重量物であるために作業性が悪く、また高く積み上げて擁壁等を構築すると非常に大きな負荷がかかるために積みブロックを高強度なものとする必要があった。
そこで本発明は、個々の積みブロックを用途に応じた形状・形態に変えたり、軽量化して擁壁等を構築する際にも作業性が良く、また高く積み上げて擁壁等を構築する際の負荷を大幅に軽減することを可能とした係合体構造機能変身重装型積みブロックを提供することを目的とする。
【課題を解決するための手段】
【０００６】
前記目的を達成するために、請求項１に記載した本発明に係る係合体構造機能変身重装型積みブロックは、少なくとも上下面に対称に係合用突起部および係合用凹部を形成した構築用ブロック体を、前記係合用突起部と係合用凹部を咬み合せるように複数段積上げて構造物を構築する係合型積みブロックであって、該係合型積みブロックを構成するコンクリート内には所望長さの筒状の他材質物を内蔵してあることを特徴とするものである。
【０００７】
請求項２に記載した本発明に係る係合体構造機能変身重装型積みブロックは、筒状の他材質物がその筒状内部にもコンクリートが充填されていることをも特徴とするものである。
【０００８】
請求項３に記載した本発明に係る係合体構造機能変身重装型積みブロックは、筒状の他材質物が太さの異なる複数の筒状の他材質物を結束したものであることをも特徴とするものである。
【０００９】
請求項４に記載した本発明に係る係合体構造機能変身重装型積みブロックは、筒状の他材質物が複数の筒状の他材質物を所定の間隔で平行に配設したものであることをも特徴とするものである。
【００１０】
請求項５に記載した本発明に係る係合体構造機能変身重装型積みブロックは、前記各係合型積みブロックの係合面の両側面に繋がるそれぞれ遮水材を配設する遮水溝が形成されていることをも特徴とするものである。
【００１１】
請求項６に記載した本発明に係る係合体構造機能変身重装型積みブロックは、該各係合型積みブロックの上面係合面に給水時や自然雨水時に吸着機能を発揮する吸盤部が形成されていることをも特徴とするものである。
【００１２】
請求項７に記載した本発明に係る係合体構造機能変身重装型積みブロックは、該係合型積みブロックが上面に所望角度の傾斜構造が形成されていることをも特徴とするものである。
【００１３】
請求項８に記載した本発明に係る係合体構造機能変身重装型積みブロックは、該係合型積みブロックが幅広の底面部を有する基礎構造に形成されていることをも特徴とするものである。
【００１４】
請求項９に記載した本発明に係る係合体構造機能変身重装型積みブロックは、該係合型積みブロックが上面にＵ字溝を連結したＷ型構造に形成されていることをも特徴とするものである。
【００１５】
請求項１０に記載した本発明に係る係合体構造機能変身重装型積みブロックの中心部は、該係合型積みブロックが適宜形態の分岐構造に形成されており、種々の分岐構造に連結可能であることをも特徴とするものである。
【００１６】
請求項１１に記載した本発明に係る係合体構造機能変身重装型積みブロックは、側面に斜め下方に向かう複数の連結孔が形成されており、補強部材の側面に突設された斜め下方に向かう複数の連結棒を該連結孔にはめ込んで強固に組み付けられるようにしたことをも特徴とするものである。
【００１７】
請求項１２に記載した本発明に係る係合体構造機能変身重装型積みブロックは、該係合型積みブロックからなる枠体の内側に適宜形態の開口が形成されていることをも特徴とするものである。
【００１８】
請求項１３に記載した本発明に係る係合体構造機能変身重装型積みブロックは、前記係合型積みブロック内部が内部充填可能な中空構造に形成されていることをも特徴とするものである。
【００１９】
請求項１４に記載した本発明に係る係合体構造機能変身重装型積みブロックは、両端にＴ字形の係合突起およびＴ字形の係合切欠きが設けられており、係合体構造機能変身重装型積みブロックのＴ字形の先端を係合体構造機能変身重装型積みブロックの係合切欠きにはめ込むことによって、強固に連結することができるようにしたことをも特徴とするものである。
【００２０】
請求項１５に記載した本発明に係る係合体構造機能変身重装型積みブロックは、該係合型積みブロックがその側面に衝撃吸収材を貼付されていることをも特徴とするものである。
【００２１】
請求項１６に記載した本発明に係る係合体構造機能変身重装型積みブロックの上下対称部は、該係合型積みブロックが波形溝を上下に形成されており、隣接する係合型積みブロックの波形溝どうしを係合させて段差を有するように連結したことをも特徴とするものである。
【００２２】
請求項１７に記載した本発明に係る係合体構造機能変身重装型積みブロックは、該係合型積みブロックがその側面に植生体を保持する植生懸架溝を形成されていることをも特徴とするものである。
【００２３】
請求項１８に記載した本発明に係る係合体構造機能変身重装型積みブロックは、該係合型積みブロックがその上面に植生体を保持する植生用凹溝を形成されていることをも特徴とするものである。
【００２４】
請求項１９に記載した本発明に係る係合体構造機能変身重装型積みブロックは、該係合型積みブロックがその外面に制流用突起稜を形成されていることをも特徴とするものである。
【００２５】
請求項２０に記載した本発明に係る係合体構造機能変身重装型積みブロックは、該係合型積みブロックが長さ方向に沿って円弧状に形成されていることをも特徴とするものである。
【００２６】
請求項２１に記載した本発明に係る係合体構造機能変身重装型積みブロックは、該係合型積みブロックが長さ方向に沿ってテーパ状に形成されていることをも特徴とするものである。
【００２７】
請求項２２に記載した本発明に係る係合体構造機能変身重装型積みブロックは、長さ方向の端部にＹ字部を有する串状構造を備えたものであることをも特徴とするものである。
【００２８】
請求項２３に記載した本発明に係る係合体構造機能変身重装型積みブロックは、該積みブロックを半割りの部材に分割した構造で準備し、それらを接合して組み付けたことをも特徴とするものである。
【００２９】
請求項２４に記載した本発明に係る係合体構造機能変身重装型積みブロックは、長さ方向の少なくとも一端に係合用突起部を形成するとともに、中間部分に係合用凹部を形成し、かつそれぞれ係合用突起部と係合用凹部を長さ方向に沿って分断して積みブロックの中央に段差を形成したことをも特徴とするものである。
【００３０】
請求項２５に記載した本発明に係る係合体構造機能変身重装型積みブロックは、長さ方向の少なくとも一端に係合用突起部を形成するとともに、中間部分に係合用凹部を形成し、それぞれ係合用突起部と係合用凹部を積みブロックの長さ方向に沿って分断して積みブロックの中央に段差を形成するとともに、前記一端の係合用突起部とは反対側の面に、積みブロックの長さ方向に直交する凹溝を形成したことをも特徴とするものである。
【００３１】
請求項２６に記載した本発明に係る係合体構造機能変身重装型積みブロックは、上下の積みブロックの間にコイルバネもしくはゴム状弾性材を介在させて建築用耐震土台の用途に使用できるようにしたことをも特徴とするものである。
【００３２】
請求項２７に記載した本発明に係る係合体構造機能変身重装型積みブロックは、該積みブロックを複数の部材に分割した構造で準備し、それらを接合して組み付けたことをも特徴とするものである。
【００３３】
請求項２８に記載した本発明に係る係合体構造機能変身重装型積みブロックの焼成法は、該積みブロックとして複数の部材に分割した構造の焼成材を準備するに際し、焼成機内での寸法誤差を解消するために各焼成群を焼成の適宜段階で配置換えし、各焼成群を均一に焼成できるようにしたことをも特徴とするものである。
【００３４】
請求項２９に記載した本発明に係る係合体構造機能変身重装型積みブロックの製造方法は、所望形状の凹凸を形成した樹脂成型品を準備し、それらを用いて係合型積みブロックを成形するようにしたことをも特徴とするものである。
【００３５】
請求項３０に記載した本発明に係る係合体構造機能変身重装型積みブロックの搬送装置は、該積みブロックを複数段積み上げるに際し、所望長さの上面が水平となるようにしたテーパ状断面のレール盤を構築物の上部に搭載し、その上面に形成したスライド溝に沿って次の積みブロックが搬送できるようにしたことをも特徴とするものである。
【００３６】
請求項３１に記載した本発明に係る係合体構造機能変身重装型積みブロックの嵩上げ工法は、該積みブロックを複数成形するに際し、ハニカム構造の成形型を準備して、一度に多数の積みブロックを成形することにより、低耕農地どうしの嵩上げに利用するようにしたことをも特徴とするものである。
【００３７】
請求項３２に記載した本発明に係る係合体構造機能変身重装型積みブロックの高層嵩上げ工法は、該積みブロックでトンネル構造を構築し、さらに軽量ブロックを積み上げて低耕農地の嵩上げを行うようにしたことをも特徴とするものである。
【００３８】
請求項３３に記載した本発明に係る係合体構造機能変身重装型積みブロックは、係合用突起部および係合用凹部で構成される係合面とは反対の面に、複数の筒状の丸竹材を上下に並設した状態で保持する連結溝を対向するよう形成したことをも特徴とするものである。
【発明の効果】
【００３９】
この発明によれば、個々の積みブロックを軽量化して擁壁等を構築する際にも作業性が良く、また高く積み上げて擁壁等を構築する際の負荷を大幅に軽減することを可能とした係合体構造機能変身重装型積みブロックを提供することが可能となった。
この発明の係合体構造機能変身重装型積みブロックにおいて使用される筒状の他材質物としては、種々の種類の竹材を使用することができる。その例としては真竹、孟宗竹、破竹、女竹等を挙げることができるが、その地域において産出する竹材を使用することが地産地消の意味からも望ましいことである。
その他の材質としては、プラスチック製筒体、金属製筒体等をも用いることができる。
【図面の簡単な説明】
【００４０】
【図１】（ａ）は上下に斜めの係合用凹部を設けた基本構造の第１の例の係合体構造機能変身重装型積みブロックの斜視図、（ｂ）は裏返しにした場合の斜視図である。
【図２】（ａ）は上下両端に係合用突起部を設けた基本構造の第２の例の係合体構造機能変身重装型積みブロックの斜視図、（ｂ）はその正面図である。
【図３】係合体構造機能変身重装型積みブロックの上下中央の長さ方向に沿って設けた凹溝内に柔軟棒を装填した時の正面図である。
【図４】（ａ）は遮水構造を備えた係合体構造機能変身重装型積みブロックの斜視図、（ｂ）は裏返しにした場合の斜視図である。
【図５】（ａ）は遮水構造を備えた一対の係合体構造機能変身重装型積みブロックを上下に組み付ける前の状態を示す概略正面図、（ｂ）は組み付けた状態の概略正面図である。
【図６】（ａ）は長尺の係合体構造機能変身重装型積みブロックを示す斜視図、（ｂ）は裏返しにした場合の斜視図である。
【図７】（ａ）は一対の遮水構造を備えた係合体構造機能変身重装型積みブロックを組み付ける場合の別の遮水構造を示す要部拡大図、（ｂ）はその概略図である。
【図８】（ａ）は一対の係合体構造機能変身重装型積みブロックの係合面に吸着部を形成した状態を示す平面図、（ｂ）はその概略側面図である。
【図９】（ａ）は係合体構造機能変身重装型積みブロックの上面に所望角度の傾斜面を形成した場合の斜視図、（ｂ）は裏返しにした場合の斜視図である。
【図１０】（ａ）は係合体構造機能変身重装型積みブロックの上面を所望角度の傾斜を有する階段状に形成した場合の斜視図、（ｂ）は裏返しにした場合の斜視図である。
【図１１】係合体構造機能変身重装型積みブロックの上面に所望角度の傾斜面を形成した積みブロックの使用状態を示す概略斜視図である。
【図１２】係合体構造機能変身重装型積みブロックの上面を所望角度の傾斜を有する階段状に形成した積みブロックの使用状態を示す概略斜視図である。
【図１３】係合体構造機能変身重装型積みブロックを底面を拡張して基礎用ブロックとして形成した例を示すものであり、（ａ）はその斜視図、（ｂ）はその側面図、（ｃ）は各基礎用ブロックを連結した状態の斜視図である。
【図１４】係合体構造機能変身重装型積みブロックを基礎用ブロックとして形成した場合において、さらに擁壁用ブロックおよび補強部用ブロックを基礎用ブロック上に取り付けた状態の斜視図である。
【図１５】係合体構造機能変身重装型積みブロックの上面に中仕切り付きＵ字溝（Ｗ型）を形成した場合の概略斜視図である。
【図１６】上面に分割型Ｕ字溝（Ｗ型）を形成した係合体構造機能変身重装型積みブロックを、積みブロックの上面に搭載した状態を示す斜視図である。
【図１７】複数段の積みブロックの上面に分割型Ｕ字溝（Ｗ型）を形成した係合体構造機能変身重装型積みブロックを搭載した場合の概略断面図である。
【図１８】さらにその側面にＵ字溝を組付けた状態の側面図である。
【図１９】図１８における複数段の積みブロックのそれぞれを高くした場合の側面図である。
【図２０】係合体構造機能変身重装型積みブロックを適宜角度に分岐させた場合の例を示すものであり、（ａ）は３つに分岐させた場合、（ｂ）は４つに分岐させた場合のそれぞれ概略平面図である。
【図２１】係合体構造機能変身重装型積みブロックをＴ字状の分岐構造に形成し、該ブロックを擁壁として組み付けてその背後に補強部を構築できるようにした場合の斜視図である。
【図２２】係合体構造機能変身重装型積みブロックを、各パーツを組み合わせて適宜角度に分岐させた場合の例を示すものであり、（ａ）は３つに分岐させる場合、（ｂ）は４つに分岐させる場合のそれぞれ概略平面図である。
【図２３】変身重装型積みブロックに厚さ方向に並列用補強部材を組み付ける構造を示す分解斜視図である。
【図２４】変身重装型積みブロックに補強部材を組み付ける前段階の概略断面図である。
【図２５】変身重装型積みブロックに補強部材を組み付けた状態の概略断面図である。
【図２６】係合体構造機能変身重装型積みブロックを枠状に形成し、その内部を戸袋状として装飾壁を施すことを可能とした場合の斜視図である。
【図２７】その側面図である。
【図２８】ベランダ用の水・砂充填用係合体構造機能変身重装型積みブロックの例を示す斜視図である。
【図２９】（ａ）は先端かぎ状係合体構造機能変身重装型積みブロックの例を示す平面図、（ｂ）はその底面図、（ｃ）はその正面図、（ｄ）はその背面図である。
【図３０】複数のかぎ状係合体構造機能変身重装型積みブロックを順次連結して所定の長さに連結した状態の斜視図である。
【図３１】側面に衝撃吸収材を貼付された係合体構造機能変身重装型積みブロックの例を示す斜視図である。
【図３２】波形溝を上下対称に形成した長方形の係合体構造機能変身重装型積みブロックを示す斜視図である。
【図３３】波形溝を上下に形成した方形の係合体構造機能変身重装型積みブロックを示す斜視図である。
【図３４】波形溝を上下に形成したテーパ状の係合体構造機能変身重装型積みブロックを示す斜視図である。
【図３５】波形溝を上下に形成した係合体構造機能変身重装型積みブロックを階段状に連結した状態を示す側面図である。
【図３６】波形溝を上下に形成した係合体構造機能変身重装型積みブロックをより緩傾斜の階段状に連結した状態を示す側面図である。
【図３７】波形溝を上下に形成した方形の係合体構造機能変身重装型積みブロックを長方形の係合体構造機能変身重装型積みブロック上に搭載した状態を示す斜視図である。
【図３８】波形溝を形成したテーパ状の係合体構造機能変身重装型積みブロックの別の例を示し、（ａ）は台形の底面側に波形溝を形成した積みブロックの斜視図、（ｂ）はテーパ状の幅方向の両側に波形溝を形成した積みブロックの斜視図である。
【図３９】段差を有するとともに波形溝を形成した係合体構造機能変身重装型積みブロックの例を示す斜視図である。
【図４０】図３９の積みブロックを幅方向に連結した状態の斜視図である。
【図４１】（ａ）は上下に段差状の波形溝を形成した複数の係合体構造機能変身重装型積みブロックを積み上げた例を示す斜視図、（ｂ）は反対側から見た状態を示す斜視図である。
【図４２】波形溝を形成したテーパ状の係合体構造機能変身重装型積みブロックを複数連結して曲り階段を構築した状態の平面図である。
【図４３】係合体構造機能変身重装型積みブロックの側面に植生体を保持する水平の帯状植生懸架溝を形成した状態の概略斜視図である。
【図４４】帯状植生懸架溝を形成した正面菱形状の係合体構造機能変身重装型積みブロックを複数連結した状態の概略平面図である。
【図４５】（ａ）は帯状植生懸架溝を形成した側面台形状での係合体構造機能変身重装型積みブロックの別の例を示す側面図、（ｂ）はその正面図である。
【図４６】帯状植生凹状溝を形成した円弧状の係合体構造機能変身重装型積みブロックの例を示す斜視図である。
【図４７】図４６の係合体構造機能変身重装型積みブロックを逆Ｒ状で裏返した状態の斜視図である。
【図４８】係合体構造機能変身重装型積みブロックの上面に植生体を植生するＬ字状の植生懸架溝を形成した状態の概略斜視図である。
【図４９】植生懸架溝内で植生を生育させた状態を示す側面図である。
【図５０】Ｌ字状の植生懸架溝を形成した係合体構造機能変身重装型積みブロックどうしを連結しようとする概略平面図である。
【図５１】多数の係合体構造機能変身重装型積みブロックどうしを連結した状態の概略平面図である。
【図５２】（ａ）は外面に制流用突起稜を直交する方向に形成された円弧状の係合体構造機能変身重装型積みブロックの斜視図、（ｂ）は制流用突起稜のない積みブロックの斜視図である。
【図５３】外面に制流用突起稜を形成された円弧状の係合体構造機能変身重装型積みブロックをＲ状の堰堤用に組み付けた状態の概略正面図である。
【図５４】その背面図である。
【図５５】外面に制流用突起稜を直交する方向に形成された長尺状の円弧状の係合体構造機能変身重装型積みブロックの斜視図である。
【図５６】外面に制流用突起稜を直交する方向に複数形成された円弧状の係合体構造機能変身重装型積みブロックをトンネル状に組み付ける場合の概略斜視図である。
【図５７】テーパ状かつ円弧盤状に形成し、かつ上面に集水溝を長さ方向に形成した係合体構造機能変身重装型積みブロックの斜視図である。
【図５８】その横断面図である。
【図５９】円弧状に形成した前記係合体構造機能変身重装型積みブロックどうしをＲ状に連結固定した状態の概略斜視図である。
【図６０】円弧状に形成した係合体構造機能変身重装型積みブロックどうしを連結固定してカーブ付きトンネル状構造物を形成した状態の概略斜視図である。
【図６１】トンネル状構造物の外面を土砂で覆工する状態を示す概略断面図である。
【図６２】（ａ）は上下両面に上下同形な係合用突起部および係合用凹部を串状に係合可能に設けたテーパ状の係合体構造機能変身重装型積みブロックの斜視図、（ｂ）は裏返しにした場合の斜視図である。
【図６３】テーパ状の係合体構造機能変身重装型積みブロックを半分割で構築する場合の積みブロックを用意する場合を示す平面図である。
【図６４】テーパ状の係合体構造機能変身重装型積みブロックの両側に半分割状で他の積みブロックを結合した状態を示す平面図である。
【図６５】（ａ）はテーパ状の係合体構造機能変身重装型積みブロックを傾斜状に積み上げて擁壁を構築した状態の概略側面図、（ｂ）は別の角度から見た垂直積み状態を示し、構築体間に土砂を充填した状態の概略側面図である。
【図６６】テーパ状の係合体構造機能変身重装型積みブロックを水平方向に積み上げて擁壁を構築した状態の概略側面図である。
【図６７】テーパ状の係合体構造機能変身重装型積みブロックにより円弧状の擁壁を構築した状態の概略平面図である。
【図６８】テーパ状の係合体構造機能変身重装型積みブロックによりアーチ状のダムを構築した状態の概略斜視図である。
【図６９】（ａ）は串状構造を備えた係合体構造機能変身重装型積みブロックを建物の四隅に設置した状態の概略正面図、（ｂ）はその平面図である。
【図７０】串状構造を備えた係合体構造機能変身重装型積みブロックの例を示す斜視図である。
【図７１】その組み付け状態を示す平面図である。
【図７２】串状構造を備えた係合体構造機能変身重装型積みブロックの別の例を示す斜視図である。
【図７３】（ａ）は上下面どうしを平行傾斜面とする係合体構造機能変身重装型積みブロックのさらに別の例を示す斜視図、（ｂ）はその正面図、（ｃ）は複数段組み付けた状態の正面図である。
【図７４】（ａ）は上下面どうしを平行傾斜面とする係合体構造機能変身重装型積みブロックのさらに別の例を示す平面図、（ｂ）はその斜視図、（ｃ）はその正面図である。
【図７５】上下面どうしを平行傾斜面とする高遮水性の係合体構造機能変身重装型積みブロックの例を示す斜視図である。
【図７６】図７５の上下面どうしを平行傾斜面とする係合体構造機能変身重装型積みブロックを逆方向から見た状態の斜視図である。
【図７７】上下面どうしを平行傾斜面とする高遮水性の係合体構造機能変身重装型積みブロックで構築物を組み上げた状態の概略斜視図である。
【図７８】上下面どうしを平行傾斜面とする高遮水性の係合体構造機能変身重装型積みブロックで積みブロック構築物をＲ状に組み上げた別の例を示す概略平面図である。
【図７９】その交差部拡大平面図である。
【図８０】（ａ）〜（ｃ）は上下面どうしを平行傾斜面とする高遮水性の係合体構造機能変身重装型積みブロックの複数の異なるサイズの例を示す斜視図である。
【図８１】上下面どうしを平行傾斜面とする高遮水性の係合体構造機能変身重装型積みブロックの別の例を示す斜視図である。
【図８２】図８１の上下面どうしを平行傾斜面とする係合体構造機能変身重装型積みブロックを逆方向から見た状態の斜視図である。
【図８３】図８１の上下面どうしを平行傾斜面とする係合体構造機能変身重装型積みブロックを２つのパーツから組み付けようとする状態の斜視図である。
【図８４】上下面どうしを平行傾斜面とする高遮水性の係合体構造機能変身重装型積みブロックのさらに別の例を示す斜視図である。
【図８５】図８４の上下面どうしを平行傾斜面とする係合体構造機能変身重装型積みブロックを２つのパーツから組み付けようとする状態の斜視図である。
【図８６】（ａ）は突条とこれに対応する凹溝とを設けた柱状の係合体構造機能変身重装型積みブロックを示す斜視図、（ｂ）はそれを反転した状態の斜視図である。
【図８７】各積みブロックを長さ方向にずらして組み付ける状態を示す平面図である。
【図８８】両側の側壁が自然石のような凹凸を備えた係合体構造機能変身重装型積みブロックを示す斜視図である。
【図８９】上下のＨ型鋼の間に矩形のコイルバネを介在させた耐震用ブロックを２つのパーツから組み付けようとする状態を示す斜視図である。
【図９０】（ａ）は上下のＨ型鋼の間に複数のコイルバネを介在させた耐震用ブロックの例を示す斜視図、（ｂ）はその側面図である。
【図９１】その建築用耐震土台を建築物の幅広状の基礎に組み込んだ状態の概略断面図である。
【図９２】コイルバネないし柔軟材付きブロックの挿入口を示す土台の斜視図である。
【図９３】建築用耐震土台に用いるコイルバネないし柔軟材付きブロックの挿入口を示す土台の上下構造材を示す斜視図である。
【図９４】その変形例を示す斜視図である。
【図９５】建築用耐震土台に用いるコイルバネの保持部材のさらに別の例を示す斜視図である。
【図９６】上下のＨ型鋼の間にコイルバネや免震ゴム等の弾性体を介在させた耐震用ブロックの使用例を示す概略側面図である。
【図９７】図９６の変形例を示す概略側面図である。
【図９８】（ａ）は建築用耐震土台に用いられる木製ブロックの斜視図、（ｂ）は木製ブロックを長さ方向に連結した状態の平面図、（ｃ）は木製ブロックの３個分を連結した形状の長い木製ブロックを示す平面図である。
【図９９】（ａ）は高い連結部位を備えた木製ブロックの例を示す側面図、（ｂ）は低い連結部位を備えた木製ブロックの例を示す側面図である。
【図１００】図９６の別の変形例を示す拡大断面図である。
【図１０１】球体を用いて弾性体を複合構造とした例を示す要部拡大断面図である。
【図１０２】ベアリング部分の平面図である。
【図１０３】ベアリング部分の別の例を示す要部断面図である。
【図１０４】球体を用いた複合構造の弾性体部分の要部拡大断面図である。
【図１０５】Ｈ型コンクリートおよびＨ型鋼の間に孟宗竹等の弾性体を介在させた耐震用ブロックの例を示す概略側面図である。
【図１０６】係合体構造機能変身重装型積みブロックを複数の部材に分割して製造する際に使用する未焼成材の押出機の概要を示す説明図である。
【図１０７】押出成形された複数の部材を所定の長さで切断し、それらを組み付ける工程を示す説明図である。
【図１０８】（ａ）は押出成形された複数の部材を示し、（ｂ）は係合用突起となる部分を所定位置でカットした状態を示すそれぞれ斜視図である。
【図１０９】係合体構造機能変身重装型積みブロックを複数の部材に分割して製造し、それらを接合して組み付ける別の工程を示す説明図であり、（ａ）は両側部材を雄型とし、（ｂ）は両側部材を雌型とした場合を示すものである。
【図１１０】係合体構造機能変身重装型積みブロックを複数の部材に分割して製造し、それらを接合して未焼成体として組み付けた状態の斜視図である。
【図１１１】前記未焼成体ブロックを焼成する際に使用する焼成機を示すものである。
【図１１２】焼成機内での寸法誤差を解消するための上下交換工程を示す概略図である。
【図１１３】（ａ）は係合体構造機能変身重装型積みブロックの合成樹脂製型枠を薄肉とした例を示す斜視図、（ｂ）は該合成樹脂製型枠を異なる形状とした場合の斜視図である。
【図１１４】（ａ）は合成樹脂製型枠を用いてコンクリート製の係合体構造機能変身重装型積みブロックを形成した例を示す斜視図、（ｂ）はコンクリート製の積みブロックの係合部を異なる形状とした場合の斜視図である。
【図１１５】係合体構造機能変身重装型積みブロックを組み付ける際に使用する滑動型構築部材装置の概略断面図である。
【図１１６】（ａ）は嵩上げ工法用の係合体構造機能変身重装型積みブロックのハニカム組成体成形枠の枠材の例を示す側面図、（ｂ）はその枠材を組み付けてハニカム組成体成形枠とした状態の斜視図である。
【図１１７】成形枠の固定用枠材の別の例を示す斜視図である。
【図１１８】トンネル状構造物の上に平板状の係合体構造機能変身重装型積みブロックを組み付けてその上に水田を構築するとともに、トンネル部分を倉庫として使用することができるようにした状態を示す概略断面図である。
【図１１９】トンネル状構造物の上に平板状の係合体構造機能変身重装型積みブロックを組み付けた状態を示す概略断面図である。
【図１２０】係合面とは反対の面に複数の筒状の竹材を水平方向にして上下に並設した状態で保持する連結溝が対向するよう形成された係合体構造機能変身重装型積みブロックの例を示す斜視図である。
【図１２１】その組み付け状態を示す斜視図である。
【図１２２】別の組み付け例を示す斜視図である。
【図１２３】その概略平面図である。
【発明を実施するための形態】
【００４１】
以下、添付の図面に基いて、本発明の係合体構造機能変身重装型積みブロックの実施の形態をより詳細に説明する。
【００４２】
本発明に係る係合体構造機能変身重装型積みブロックは基本的に、少なくとも上下面に対称に係合用突起部および係合用凹部を形成した構築用ブロック体を、前記係合用突起部と係合用凹部を咬み合せるように複数段積上げて構造物を構築する係合型積みブロックであって、該係合型積みブロックを構成するコンクリート内には所望長さの筒状の他材質物、例えば種々の種類の竹材を内蔵させることができる。
その例としては真竹、孟宗竹、破竹、女竹等を挙げることができるが、その地域において産出する竹材を使用することが地産地消の意味からも望ましいことである。
その他の材質としては、プラスチック製筒体、金属製筒体、ウッドチップ等を固めた棒その他からなる木質棒などをも用いることができる。
【００４３】
先ず、本発明に係る係合体構造機能変身重装型積みブロックの基本構造の第１の例は、図１（ａ），（ｂ）に示すように、係合体構造機能変身重装型積みブロック１１を直方体断面とし、該積みブロック１１の上下面に対称に係合用突起部１２ａを形成し、それ以外の部分を係合用凹部１２ｂとしてある。
このように、積みブロック１１の上下面に対称に係合用突起部１２ａを形成し、それ以外の部分を係合用凹部１２ｂとした係合体構造機能変身重装型積みブロック１１を、前記係合用突起部１２ａと係合用凹部１２ｂを咬み合せるように複数段積上げることにより、係合体構造機能変身重装型積みブロック１１からなる構造物を構築するのである。
そして、複数段に積んで擁壁等の構造物を構築するに際しては、下段の係合体構造機能変身重装型積みブロック１１と上段の係合体構造機能変身重装型積みブロック１１とは左右方向に１／２長さずらした配置に積み、上段の係合体構造機能変身重装型積みブロック１１における下面の係合用凹部１２ｂを、下段の左右方向に隣接する２個の係合体構造機能変身重装型積みブロック１１，１１における上面の雄型の係合用突起部１２ａへ密接に咬み合わせて積み上げ構築するのである。したがって、用途に応じて簡単に形状・形態を変えることができる。
【００４４】
上記構成の係合体構造機能変身重装型積みブロック１１を使用して構築した構造物は、特に、前後左右方向からの外力に対して優れた係合性保持機能を保持することができる。また、擁壁等の構造物の表面が装飾的幾何学模様となるので、美観的要素が高い構造物を提供できる。
本例では構築用ブロック体１２のほぼ中央部分に、その長さ方向に沿って４本の他材質物１３が配設されており、好ましくはその他材質物１３を太さの太いものと細いものとが交差する位置に配置することにより、強固な結束状態が得られるようになっている。
このように、構築用ブロック体１２内に他材質物１３を配設することにより、本発明の係合体構造機能変身重装型積みブロック１１は大幅な軽量化と、他材質物１３による補強効果とを図ることができるのである。
【００４５】
本発明に係る係合体構造機能変身重装型積みブロックの基本構造の第２の例は、図２（ａ）に示すように係合体構造機能変身重装型積みブロック２１の両面に係合用突起部２２としてそれぞれ一対の山型突起部２２ａどうしを対向させ、その間の凹部２２ｂを中央に向けて対向させたものである。そして上面には長さ方向の中央線に沿ってＶ溝２２ｃが、下面にはＵ溝２２ｄが形成されている。
本例においても係合体構造機能変身重装型積みブロック２１のほぼ中央部分に、その長さ方向に沿って４本の他材質物２３が配設されており、好ましくはその他材質物２３を太さの太いものと細いものとが交差する位置に配置することにより、強固な結束状態が得られるようになっている。
この例では、係合体構造機能変身重装型積みブロック２１は図３に示すように各積みブロック２１を積み重ねて擁壁とすることができる。図において２２ｅはＶ溝２２ｃにはめ込んで使用する遮水用のフェルト棒である。
【００４６】
図４（ａ），（ｂ）は遮水構造を備えた一対の係合体構造機能変身重装型積みブロック３１を示すものである。この積みブロック３１は、その上面の長さ方向両側には係合用突起部３２ａが、また長さ方向のほぼ中ほどに両側から突き合うように係合用凹部３２ｂが形成されている。３３はその中央に長さ方向に沿って、また両側面に繋がるよう形成された遮水材をはめ込む遮水溝である。
また積みブロック３１の裏面には、長さ方向の両側にそれぞれ対向する一対の係合用突起部３２ｃ、３２ｃが形成され、その間は係合用凹部３２ｄとなっており、上下の積みブロック３１，３１は、それぞれ長さ方向に１／２ずつずらして連結される。
その際、図５（ａ）に示すように前記遮水溝３３にフェルト棒等からなる遮水材３４をはめ込み、そして図５（ｂ）に示すように上下の積みブロック３１，３１を密着させると、円形断面であった遮水材３４はＶ字状断面の遮水溝３３内で圧縮され、Ｖ字状断面となって上下の積みブロック３１，３１間を確実に密閉することができ、遮水材３４の遮水機能により完全防水が図られる。
図６（ａ）は長尺の係合体構造機能変身重装型積みブロック３１を示し、図６（ｂ）はそれを裏返しにした場合を示すものである。
なお、図７（ａ），（ｂ）は一対の係合体構造機能変身重装型積みブロック４１を組み付ける場合の別の遮水構造を示し，一対の積みブロック４１の接合位置に形成した凸部４２ａおよび凹部４２ｂが先端に向かってつぼまるテーパ状に形成されており、このテーパ面によって両者は密着して接合される。
【００４７】
図８（ａ），（ｂ）は一対の係合体構造機能変身重装型積みブロック９１の係合面に吸着部９２を形成した状態を示すものである。
該吸着部９２は軟質素材の吸盤を給水時や自然雨水時にぬらすだけで吸盤原理が働くようにして吸着させたり、２液混合型の接着材をそれぞれに配置しておいて上下の積みブロック９１を積み重ねることにより接合させてもよい。
【００４８】
図９（ａ），（ｂ）は傾斜した道等に使用する係合体構造機能変身重装型積みブロック１０１ａを示すものであり、下面に係合用突起部１０２ａおよび係合用凹部１０２ｂを、また上面に所望角度の傾斜面１０２ｃを形成した例を示すものである。
また、図１０（ａ），（ｂ）は係合体構造機能変身重装型積みブロック１０１ｂの上面に所望角度の傾斜を有する階段１０２ｄを形成した例を示すものである。
そして図１１は上面に所望角度の傾斜面１０２ｃを形成した係合体構造機能変身重装型積みブロック１０１ａで道の両側を構築し、その間に傾斜した道をモルタル等で舗装して構築したものである。
同様に、図１２は上面に所望角度の傾斜を有する階段１０２ｄを形成した係合体構造機能変身重装型積みブロック１０１ｂで道の両側を構築し、その間に傾斜した道をモルタル等で舗装して構築したものである。
【００４９】
図１３及び図１４は係合体構造機能変身重装型積みブロック１１１の底部を拡張して基礎用ブロックとして形成した例を示すものであり、図１３（ａ），（ｂ）に示すように、積みブロック本体１１１ａの側面下部に基盤部１１１ｂを延設したものである。
そして図１３（ｃ）に示すように、各基礎用ブロック１１１は長さ方向に連結して擁壁等の基礎として安定構築体の構築に使用される。
図１４は前記係合体構造機能変身重装型積みブロック１１１からなる基礎用ブロック上に、擁壁用積みブロック１１２および補強部用積みブロック１１３を基礎用ブロック上に取り付けた状態を示すものである。
【００５０】
図１５は係合体構造機能変身重装型積みブロック３１１の上面にＵ字溝３１３を形成した例を示すものである。このＵ字溝３１３は中間に仕切り板３１３ａを立設されていてＷ字状に形成されており、両側に立設した側壁３１１ａには所定の位置と間隔で水抜き穴３１１ｂが高低差を有するように開口してある。したがって、下の水田での土用干しと上の水田での給水作業とを同時に行うことができる。もちろん上下水田での同時作業を行うことが可能である。
図において３１２ａは係合用突起部、３１２ｂは係合用凹部である。
そして、上面にＵ字溝３１３を形成した係合体構造機能変身重装型積みブロック３１１は、図１６に示すように該Ｕ字溝３１３を形成した係合体構造機能変身重装型積みブロック３１１を、組み上げた積みブロック３１４の上面に搭載して使用するものである。
図１７は複数段の積みブロック３１４の上面にＵ字溝３１３を形成した係合体構造機能変身重装型積みブロック３１１を搭載した例を示す概略断面図である。
図１８および図１９は、Ｕ字溝３１３を形成した係合体構造機能変身重装型積みブロック３１１を、組み上げた積みブロック３１４の上面に搭載して擁壁を構築し、その外側にＵ字溝３１５を配設した例を示し、図１８は個々の下部積みブロック３１４が低い例、図１９は個々の下部積みブロック３１４が高い例を示している。
【００５１】
図２０〜図２２は係合体構造機能変身重装型積みブロック６１を分岐構造に形成し、該積みブロックを擁壁として組み付けてその背後に補強部等を構築できるようにした例を示すものである。
すなわち、分岐構造の係合体構造機能変身重装型積みブロック６１は、図２０（ａ）に示すように３つに分岐させたり、図２０（ｂ）に示すように、４つに分岐させたりすることができる。
図２０において６２ａ，６２ａおよび６２ｂは係合用突起部、６２ｃ，６２ｄは係合用凹部である。
より詳細には、分岐構造の係合体構造機能変身重装型積みブロック７１は、図２１に示すようにＴ字状に分岐している。
図２１において７２ａ，７２ａおよび７２ｂは係合用突起部、７２ｃ，７２ｄは係合用凹部、そして７３，７４は遮水材をはめ込む遮水溝である。
【００５２】
図２２（ａ）はこの係合体構造機能変身重装型積みブロック７１をＴ字状の分岐構造に形成するに際し、該積みブロック７１を３つの直線状のパーツ７１ａ，７１ｂ，７１ｃとし、それらを組み付けるようにした例を示すものである。
図２２（ｂ）はさらに係合体構造機能変身重装型積みブロック８１を直線状のパーツ８１ａ，８１ｂ，８１ｃ，８１ｄを組み付けて４つに分岐させた場合の例を示すものである。
【００５３】
図２３〜図２５は変身重装型積みブロック５１に厚さ方向に補強部材５２を組み付ける構造を示すものである。
すなわち、図２３において上下面の両側に係合用突起部５３ａを形成し、それ以外の部分を係合用凹部５３ｂとした積みブロック５１の側面には斜め下方に向かう複数の連結孔５４が形成されており、補強部材５２の側面には斜め下方に向かう複数の連結棒５５が突設されている。したがって、図２４のように変身重装型積みブロック５１と補強部材５２とを向き合わせ、図２５のように各連結孔５４に連結棒５５をはめ込めば、前記変身重装型積みブロック５１に補強部材５２が強固に組み付けられ、正確な千鳥積み構築体が構築可能となるのである。
【００５４】
図２６および図２７は係合体構造機能変身重装型積みブロック２５１を枠状に形成し、その内部を開口部２５３として化粧を施すことを可能とした場合を示すものである。
すなわち、積みブロック２５１上下の係合面には係合用突起部２５２ａ，２５２ａが形成され、その間は係合用凹部２５２ｂとなっている。また両側の係合面にも、係合用突起部２５２ｃおよび係合用凹部２５２ｄが形成されている。
そして、積みブロック２５１の側面ほぼ中央部分には戸袋式の開口部２５３が形成されている。
この開口部２５３は型枠次第で種々のデザインに形成することができ、開口部２５３に適宜の鉢物や置物等を搭載してもよい。また内部に複数枚の壁体を取り付けておき、必要な時に必要な壁体と差し替えて美的環境型壁体に変身させることができる。
【００５５】
図２８はベランダ用の水・砂充填用係合体構造機能変身重装型積みブロック３５１の例を示すものである。
この例ではポリエチレンやポリプロピレン等のポリオレフィン系の樹脂で、上下面に対称に係合用突起部３５２ａを形成し、それ以外の部分を係合用凹部３５２ｂとした係合体構造機能変身重装型積みブロック３５１を中空形状に成形し、その内部に水や砂を充填して使用するものである。したがって構築現場で重量型擁壁体に変化させることが可能である。
３５３，３５４は前記係合体構造機能変身重装型積みブロック３５１の上面ないし側面に形成した充填口である。
【００５６】
図２９（ａ）〜（ｄ）は先端かぎ状係合体構造機能変身重装型積みブロックの例を示すものである。
この例では、係合体構造機能変身重装型積みブロック２７１は両端に連結手段が形成されている。すなわち、その一端にはＴ字形の係合突起２７２が形成され、また他端にはＴ字形の係合切欠き２７３が設けられている。そして、次の係合体構造機能変身重装型積みブロック２７１の係合突起２７２のＴ字形の先端を前の係合体構造機能変身重装型積みブロック２７１の係合切欠き２７３のＴ字の横長部分２７３ａから挿通し、横細部分２７３ｂにスライドさせることによって両者は強固に連結することができるのである。
したがって、図３０に示すように、複数の係合体構造機能変身重装型積みブロック２７１を順次連結して所定の長さにすれば、自在なカーブの壁体を構築することができるので、花壇の垣根その他のガーデン用等のエクステリア用製品として有効に利用することができる。
【００５７】
図３１は側面に衝撃吸収材２６３を貼付された係合体構造機能変身重装型積みブロック２６１の例を示すものであり、該係合体構造機能変身重装型積みブロック２６１の係合用突起部２６２ａおよび係合用凹部２６２ｂを介して積み上げた複数の積みブロック２６１からなる構築物２６４は、衝撃吸収機能を持ったものとすることができる。したがって、子供その他の人物が例えば自転車等に乗って衝突しても大怪我をすることのない安全性の高い擁壁を構築することができる。
【００５８】
図３２〜図４２は、波形溝１２２を上下に形成した長方形の係合体構造機能変身重装型積みブロック１２１を説明するためのものである。
図３２において、長方形の係合体構造機能変身重装型積みブロック１２１はその上下両面の一端側と他端側とに上下対称にそれぞれ積みブロック１２１の幅方向の１／２の幅の波形溝１２２が形成されている。
図３３は波形溝１２４を上下に形成した方形の係合体構造機能変身重装型積みブロック１２３を示す斜視図であり、その上下両面の一端側と他端側とにそれぞれ積みブロック１２１の長さ方向の１／２の長さの波形溝１２４が形成されている。
また図３４は、波形溝１３２を上下に形成したテーパ状の係合体構造機能変身重装型積みブロック１３１を示すものであり、その上下両面の一端側と他端側とにそれぞれ所定の幅の波形溝１３２が形成されている。
すなわち図３５は波形溝１２２を上下に形成した係合体構造機能変身重装型積みブロックを所定の傾斜角の階段状に連結した状態を示すものである。
また図３６は、該波形溝１２２を上下に形成した係合体構造機能変身重装型積みブロック１２１をずらして連結することにより、より緩傾斜の階段状に連結した状態を示すものである。
これらの波形溝１２２を上下に形成した係合体構造機能変身重装型積みブロック１２１は適宜組み合わせて図３７に示すような山形の構築物１２５を形成することができる。
【００５９】
また、図３８（ａ）はテーパ状の係合体構造機能変身重装型積みブロック１３１の台形の底部分に波形溝１３３を形成し、（ｂ）はテーパ状の積みブロック１３１の幅方向の両側に波形溝１３４を形成したものである。
さらに図３９は長さ方向の中間位置に段差１４２を有するとともに、上下両面に波形溝１４３を形成した係合体構造機能変身重装型積みブロック１４１の例を示すものであり、図４０のように積みブロック１４１を幅方向に連結して使用するものである。
図４１（ａ）は上下に段差状の波形溝１５２を形成した複数の係合体構造機能変身重装型積みブロック１５１を積み上げた例を示し、図４１（ｂ）は反対側から見た状態を示す。上下の積みブロック１５１は前記段差状の波形溝１５２部分で係合し、したがって確実に積み上げることができる。
また、図４２に示す波形溝１３２を上下に形成したテーパ状の係合体構造機能変身重装型積みブロック１３１を使用し、これを複数連結して積み上げることにより、曲り階段１３５を構築することができるのである。
【００６０】
図４３は、前記係合体構造機能変身重装型積みブロック２２１の側面に植生体を保持する水平の帯状植生懸架溝２２４を形成した例を示すものである。
前記植生懸架溝２２３，２２４を形成した係合体構造機能変身重装型積みブロック２２１は、図４４に示すように長さ方向に交互に積み上げて擁壁等を構築することができ、かつその側壁に植生を保持することができるのである。このような構造においては、植生体が枯渇しても機械による連続交換が可能となり、通り別に異種植物の植生が可能で、景観上や環境的にも良好な構築体を提供することができる。
図４５（ａ），（ｂ）はこのような植生懸架溝２２４を形成した係合体構造機能変身重装型積みブロック２２１の別の例を示すものであり、積みブロック２２１の端面をそれぞれ斜めに傾斜させてある。
図４６および図４７は帯状植生懸架溝を形成した円弧状の係合体構造機能変身重装型積みブロック２２１の別の例を示すものであり、その上面に植生懸架用溝２２５が形成されている。
さらに図４８は、係合体構造機能変身重装型積みブロック２３１の上面に植生体を保持するＬ字状の植生懸架溝２３２を形成した例を示すものである。
そして、このＬ字状の植生懸架溝２３２を形成した係合体構造機能変身重装型積みブロック２３１は、図４９に示すように前記植生懸架溝２３２内で植生２３３を生育させることにより、環境に適合した積みブロック２３１の構築体を得ることができるのである。すなわち、植生体を繁殖させた積みブロックを河川内に伏せ込んだ場合、植生体による浄化機能と作用により、河川内の汚泥等の不純物を浄化し、かつ小鳥や小魚等の繁殖場所にすることもできる。
図５０は前記Ｌ字状の植生懸架溝２３２を形成した係合体構造機能変身重装型積みブロック２３１どうしを連結しようとする組み付け前の平面図であり、図５１は多数の係合体構造機能変身重装型積みブロック２３１どうしを連結した状態の概略平面図である。
【００６１】
制流用の係合体構造機能変身重装型積みブロックを示す図５２ないし図５６において、図５２（ａ），（ｂ）は側面に係合用突起部３３２ａおよび係合用凹部３３２ｂを形成し、外面に制流用突起稜３３３を斜めに形成した円弧状の係合体構造機能変身重装型積みブロック３３１を示すものである。
そして、図５３に示すように外面に制流用突起稜３３３を斜めに形成された円弧状の係合体構造機能変身重装型積みブロック３３１をトンネル状に組み付けて使用する。図５４はそれを反対側から見た状態を示すものである。
図５５は側面に係合用突起部３４２ａおよび係合用凹部３４２ｂを形成し、外面に制流用突起稜３４３を直交する方向に形成された円弧状でかつ長尺の係合体構造機能変身重装型積みブロック３４１の別の例を示すものであり、図５６は外面に制流用突起稜３４３を直交する方向に形成された円弧状の係合体構造機能変身重装型積みブロック３４１をトンネル状に組み付けた例を示すものである。
この制流用の係合体構造機能変身重装型積みブロック３３１を布積み状に伏せ込んで構築した場合、該制流用突起稜からなる制流稜が砂礫等の泥流物の流動作用により順次摩耗変形した場合、摩耗変形のひどい積みブロックのみの差し替え交換が可能である。
【００６２】
図５７、図５８は円弧状、特にアーチ状に形成した係合体構造機能変身重装型積みブロック３２１を示すものである。この積みブロック３２１は側面に係合用突起部３２２ａおよび係合用凹部３２２ｂを形成し、また上面中央には遮水材をはめ込む遮水溝３２３が形成してある。
このアーチ状に形成した係合体構造機能変身重装型積みブロック３２１を幅方向に連結固定した構築物を図５９に示す。したがって、耐圧性の非常に高い椀形状の屋根体としたり、遮水機能を持たせることによって竜巻等にも耐えることができる完全耐暴風屋根体とすることができる。
図６０は前記円弧状に形成した係合体構造機能変身重装型積みブロック３２１どうしを連結固定してトンネル状構造物３２４を形成した例を示すものである。
さらに、図６１はトンネル状構造物３２４の外面を土砂３２６で覆工した例を示すものである。
【００６３】
図６２（ａ），（ｂ）は係合体構造機能変身重装型積みブロック１６１を長さ方向に沿ってその幅をテーパ状にした場合を示し、片面中央に端部に山が位置する波形の係合用凹部１６２ａを、他面中央に端部に谷が位置する波形の係合用突起部１６２ｂを形成した例を示すものである。
【００６４】
図６３はテーパ状の係合体構造機能変身重装型積みブロック１８１として半分割した積みブロック１８１ａ，１８１ｂを用意する場合を示すものであり、これを使用することにより、図６４に示すようにテーパ状の係合体構造機能変身重装型積みブロック１８１の両側に半分割した積みブロック１８１ａ，１８１ｂを結合した例を示すものである。
このようなテーパ状の係合体構造機能変身重装型積みブロック１８１を用いることにより、図６５ないし図６８に示すアーチ状のダム１８２を構築することができるのである。図６５（ａ）、（ｂ）はテーパ状の係合体構造機能変身重装型積みブロック１８１を組み上げた状態の見る方向を変えたそれぞれ概略断面図を、図６６は地盤との係合状態を示す概略断面を、図６７はその概略平面図を、図６８はアーチ状のダム１８２を構築した状態の概略斜視図を示すものである。
このように２つのアーチ状ダム構築体の中間帯に土砂を埋める形態のロックフィル型ダムの簡易構築が可能となり、大量の土砂の搬送を必要としない低コストのダム構築が可能となる。
【００６５】
次に、図６９は串状構造を備えた係合体構造機能変身重装型積みブロック１９１により構築物１９２を組み付けた例を示すものである。
より具体的には、図６９（ａ）に示すように串状構造を備えた係合体構造機能変身重装型積みブロック１９１によりサイロ１９３を補強することができる。該サイロ１９３は、構築物１９２の内側に筒状の内壁１９４を配設し、図６９（ｂ）に示すように、この内壁１９４の四隅に串状構造を備えた係合体構造機能変身重装型積みブロック１９１を放射状に組み付けることにより、構築物１９２の強度を大幅に向上させることができる。
図において１９５は、構築物１９２上面に搭載した天井部、１９６は屋根部である。
【００６６】
図７０は串状構造を備えた係合体構造機能変身重装型積みブロック２０１の例を示すものである。
すなわち、係合用突起部２０２ａおよび係合用凹部２０２ｂを上下の面に備えた係合体構造機能変身重装型積みブロック２０１は、その長さ方向の端部にＹ字状に突き出す串状構造を備えており、Ｙ字状の脚部は積みブロック２０１内にアンカー部２０３が埋め込まれて一体化されており、先端のＶ字部には分岐用のブロック２０４が取り付けられている。
したがって、図７１に示すように、この串状構造を備えた係合体構造機能変身重装型積みブロック２０１に分岐用のブロック２０４を連結することにより、板状の構築物をさらにＶ字状等に簡単に分岐させることができる。
図７２の例では、係合用突起部２１２ａおよび係合用凹部２１２ｂを上下の面に備えたＹ字状に分岐した構造の係合体構造機能変身重装型積みブロック２１１は、そのＶ字の内側端部にＹ字状に突き出す串状構造を備えており、Ｙ字状の脚部は積みブロック２１１内にアンカー部が埋め込まれて一体化されており、先端のＶ字部には分岐用のブロックが取り付けられるようになっている。
【００６７】
図７３（ａ），（ｂ），（ｃ）の例では、幅広に形成した上下面どうしを水平面か平行傾斜面とする係合体構造機能変身重装型積みブロック２４１は同様に半割りの２つのパーツ２４１ｈ，２４１ｉを接合して組み付けられている。この係合体構造機能変身重装型積みブロック２４１は、図７３（ｃ）のように重層的に組み付けられて使用される。
図７４（ａ），（ｂ），（ｃ）の例では、上下面どうしを水平面か平行傾斜面とする係合体構造機能変身重装型積みブロック２４１は同様に半割りの２つのパーツ２４１ｆ，２４１ｇを接合して組み付けられている。
雨水等は、これらの段差の上を下向きに流れ落ちるのである。
【００６８】
図７５〜図８１は、上下面どうしを水平面か平行傾斜面とする高遮水性の係合体構造機能変身重装型積みブロックの例を示すものである。
図７５および図７６の上下面どうしを水平面か平行傾斜面とする高遮水性の係合体構造機能変身重装型積みブロック２４１は、それぞれ長さ方向の両側に係合用突起部２４２ａが形成され、その間には係合用凹部２４２ｂが形成されている。そして、それぞれ係合用突起部２４２ａと係合用凹部２４２ｂを長さ方向に沿って分断し、積みブロック２４１の中央に段差２４３が形成してある。
またこの例において積みブロック２４１は、長さ方向の端部に長さ方向と直交するように凹溝２４４が形成してある。該凹溝２４４部分の上下の寸法は、上溝部：ブロック部：下溝部が１：３：２の比率となっていることが望ましい。
そして図７７に示すように、前記上下面どうしを平行傾斜面とする高遮水性の係合体構造機能変身重装型積みブロック２４１を複数段に積み上げて壁面を構築するとともに、各壁面を交差させて構築物２４５を組み上げるのである。
図７８および図７９は係合体構造機能変身重装型積みブロック２４１を複数段に積み上げて壁面を構築する際に、円弧状の積みブロック２４６ｂと直線状の積みブロック２４６ａを組み合わせて使用するものであり、各壁面を交差させて異形の構築物２４６を組み上げるのである。
【００６９】
図８０（ａ）〜（ｃ）は上下面どうしを平行傾斜面とする前記高遮水性の係合体構造機能変身重装型積みブロック２４１として、長さの異なる複数のサイズを準備した例を示すものであり、それぞれ図８０（ａ）は標準サイズ、図８０（ｂ）は短いサイズ、図８０（ｃ）は長いサイズの高遮水性の係合体構造機能変身重装型積みブロック２４１を示すものである。
【００７０】
図８１および図８２は上下面どうしを平行傾斜面とする係合体構造機能変身重装型積みブロック２４１の別の例を示すものである。
この例において積みブロック２４１は、前述のような長さ方向と直交する凹溝２４４は形成されていない。
また、図８３は上下面どうしを平行傾斜面とする係合体構造機能変身重装型積みブロック２４１を半割りの２つのパーツ２４１ａ，２４１ｂを接合して組み付けられる。
図８４の例では、上下面どうしを平行傾斜面とする係合体構造機能変身重装型積みブロック２４１は両側の側壁が自然石のような凹凸２４１ｃを備えており、該係合体構造機能変身重装型積みブロック２４１は、図８５のように半割りの２つのパーツ２４１ｄ，２４１ｅを接合して組み付けられる。
【００７１】
図８６ないし図８８は上下面に所定長さの突条２４１ｊとこれに対応する凹溝２４１ｋとを一定間隔で形成した係合体構造機能変身重装型積みブロック２４１の例を示すものである。
図８６の例では柱状の積みブロック２４１を示し、図８７のように各積みブロック２４１を長さ方向にずらして突条２４１ｊとこれに対応する凹溝２４１ｋとを組み付けることもできる。
図８８の例では両側の側壁が自然石のような凹凸２４１ｃを備えており、該係合体構造機能変身重装型積みブロック２４１も、突条２４１ｊとこれに対応する凹溝２４１ｋとを組み付けて連結される。
【００７２】
図８９は上下のＨ型鋼３７２ａの間に矩形のコイルバネ３７３ａを介在させた耐震用ブロック３７１ａの例を示す斜視図である。この例ではコイルバネ３７３ａが矩形であり、より幅広い面積で荷重を受け止めることができる。
図９０（ａ），（ｂ）は上下に一対の係合体構造機能変身重装型積みブロック３７２ｂの間に複数のコイルバネ３７３ｂを介在させた耐震用ブロック３７１ｂの別の例を示すものである。
そして図９１は、その耐震用ブロック３７１ａを建築物の基礎３７４に組み込んだ状態を示し、基礎用ブロック３７５の上に耐震用ブロック３７１ａを搭載したものである。
また図９２〜図９５は前記コイルバネを取り付けることができる型鋼の例を示すものである。
図９２の型鋼３８１は、上下に幅の異なる幅広の下部基盤部３８２ａと幅狭の上部基盤部３８２ｂと、その間を連結する支柱部３８３とを備え、上部基盤部３８２ｂには適宜間隔で切欠き部３８４が形成されている。前記コイルバネはこの切欠き部３８４に配置される。
図９３の型鋼３９１は本体Ｈ型鋼３９１ａの途中に分岐Ｈ型鋼３９１ｂを取り付けたものであり、図９４の型鋼３９２は本体Ｈ型鋼３９２ａの途中に分岐Ｈ型鋼３９２ｂを取り付け、連結部分に仕切り板３９２ｃを取り付けたものである。
図９５の型鋼３９３は上下に幅の異なる幅広の下部基盤部３９３ａと幅狭の上部基盤部３９３ｂと、その間を連結する支柱部３９３ｃとを備えており、さらにその途中に分岐型鋼３９４を取り付けたものであり、その連結部分の上部基盤部３９３ｂには適宜間隔で挿入口３９５が形成されている。前記コイルバネはこの挿入口３９５を通して配置される。
【００７３】
図９６は上下のＨ型鋼４０２の間に免震ゴム等の弾性体４０３を介在させた建築用耐震土台４０１の例を示す概略側面図である。この例では上下のＨ型鋼４０２と弾性体４０３が一体となっており、より幅広い面積で荷重を受け止めることができる。この一体化された建築用耐震土台４０１の上部には柱４０４がほぞを介して木製土台４０５に装着されている。また建築用耐震土台４０１は、順次松材等の木製ブロック４０６，４０７、係合ブロック４０８，４０９からなる土台の上に固定されている。４１０はべた打ちのコンクリートである。
この例ではコイルばねに比べて耐荷重性を大幅に向上させることができ、またコスト面でも有利になる。
図９７は前記図９６の建築用耐震土台４０１の変形例を示すものであり、柱４０４を受ける木製土台４０５を上部Ｈ型鋼４０２の上部凹部４０２ａ内に収納してある。他方、上部Ｈ型鋼４０２の下部凹部４０２ｂは上部凹部４０２ａのほぼ倍のサイズとしてあって、同じサイズとなっている下部Ｈ型鋼４０２の上部凹部４０２ｃとの間に収納した弾性体４０３と一体としてある。
その上で、コンクリート（または梁状）土台４０９ａを介してべた打ちのコンクリート４１０上に取り付けてある。４０９ｂはコンクリート（または梁状）土台４０９ａの下面を包み込むように取り付けた鉄枠、４０９ｃは鋼製のスライド吸収盤である。このようにすれば、耐震性能を大幅に向上させることができる。
図９８は図９６における建築用耐震土台４０１の木製ブロック４０６の例を示し、該木製ブロック４０６は底部を拡張するとともに、図９８（ａ）のように上面両側には係合用突起部４０６ａを形成し、その間に係合用凹部４０６ｂが形成されている。そして、図９８（ｂ）のように木製ブロック４０６を長さ方向に連結して使用する。
また図９８（ｃ）のように、３つの木製ブロック４０６を連結一体化した長尺の木製ブロック４０６ｃとすることもできる。
図９９は木製ブロック４０６の端面図であり、図９９（ａ）のように係合部位４０６ｂを高くしたり、９５（ｂ）のように係合部位４０６ｂを低くした木製ブロック４０６を用意することができる。
図１００は図９６の別の変形例を示すものであり、上下のＨ型鋼４０２および弾性体４０３に設けた貫通孔４１１に可撓性のある柔軟棒４１２を挿通し、上下の土台部分に設けた固定具４１３，４１４でそれぞれ両端を保持されている。４１５は下部のＨ型鋼４０２の下端を内側に折り込んで土台との係合を確実なものとする鍵状辺である。
この例では免震ゴムのずれを大幅に解消することができる。
さらに図１０１において、上下のＨ型鋼４０２の間の弾性体４２１は、免震ゴム等の弾性体４２１ａと鋼板４２１ｂとを交互に積層した複合板である。
この複合構造の弾性体４２１が第１の免震構造である。
前記複合構造の弾性体４２１の下端には外周をフランジ構造とした皿状鋼板４２１ｃが配置されている。そして、下部のＨ型鋼４０２上には上面が凹面４２３となっているベアリング受け４２２が滑動可能に搭載されており、凹面４２３内に介在させた中心が大きく、周辺に向かって小さくなるようにしたベアリング４２４を介して皿状鋼板４２１ｃが搭載されている。
図１０２において、４２５は外側をリング状に取巻く外側ベアリング４２４ａと内側ベアリング４２４ｂを区画する仕切り筒、４２６は前記弾性体４２１に設けた貫通孔４２７に配置した柔軟棒である。このベアリング４２４を含む部分が第２の免震構造である。
この第１および第２の免震構造を備えたことにより、本例では弾性体のみの場合に比べて横揺れに対する免震性を大幅に向上させることができる。
図１０３において、前記複合構造の弾性体４３１の下端には凹溝４３２が配置されている。そして、下部のＨ型鋼４３３上には上面が凹面４３４となっている球面盤４３５が搭載されており、凹面４３４内には球体を部分的に切り取った球面体４３６が搭載されている。該球面体４３６の平板状の上面は弾性体４３１下端の凹溝４３２内にはめ込まれている。４３７は免震ゴムである。
この球面体４３６を備えたことにより、横揺れに対する免震性を保持したまま耐摩耗性を大幅に向上させることができる。
図１０４の例では、前記複合構造の弾性体４４１がそれぞれ円弧状の弾性体４４１ａと鋼板４４１ｂとを交互に積層した複合板からなり、該弾性体４４１の下端には大きさの均一な複数のベアリング４４２が配置されている。
この弾性体４４１を備えたことにより、前記と同様に横揺れに対する免震性を保持したまま耐摩耗性を大幅に向上させることができる。
いずれにしても、上記免震構造により震度７程度の地震にも十分な耐震性があり、高級な戸建て住宅等にも応用することができる。
図１０５は、Ｈ型コンクリート４４３およびＨ型鋼４４４の間に孟宗竹等の弾性体４４５を介在させた耐震用ブロックの例を示すものである。
すなわち、上部に土台４４６を搭載したＨ型コンクリート４４３、および基礎４４７上に搭載したＨ型鋼４４４の間には、周方向に等間隔で切込み４４５ａを設けた孟宗竹等の青竹等からなる弾性体４４５が配設されている。４４８はステンレス製の鋼材からなる弾性体受けであり、地震の大きな振幅にも対応できるようにしてある。またそれぞれの部材が耐腐食性に富む素材からなり、例えば孟宗竹等には防腐コーティングを施してあるので、長期間にわたって腐食等を起こすおそれがないものとなっている。
【００７４】
図１０６は前記係合体構造機能変身重装型積みブロック４６１を複数の部材に分割して製造する方法を示すものであり、適宜コンクリート未焼成材の押出成形機４８２から基盤ブロック４８１ａと突起部４８１ｂとをそれぞれ押出し、各々が硬化する途中で、あるいは硬化した後にそれらを接合して組み付ける工程を示すものである。
図１０７の例では、係合体構造機能変身重装型積みブロック４９１を複数の部材に分割して製造する別の例を示すものであり、コンクリート未焼成材の押出成形によって得られた積みブロック４９１は両側の突起部４９１ａと中間の本体部４９１ｂとで構成されており、搬送時に適宜間隔でカッタ４９２を用いて切断することにより両者を同時に得ることができる。
図１０８（ａ）は積みブロック４９１を両側の突起部４９１ａ（未分離）と中間の本体部４９１ｂを並べたもの、図１０８（ｂ）は積みブロック４９１を両側の突起部４９１ａ（分離済み）と中間の本体部４９１ｂを並べたものである。
図１０９は両側の突起部４９１ａの分離方法を示すものであり、図１０９（ａ）では突起部４９１ａの両側を雄型とし、図１０９（ｂ）では雌型とした例を示すものである。
図１１０においては、係合体構造機能変身重装型積みブロック４６１を厚肉の基盤ブロック４６１ａと薄肉の突起部４６１ｂとで構成し、基盤ブロック４６１ａの上下両面の長さ方向の両端に前記突起部４６１ｂをそれぞれ接合固定したものである。
【００７５】
図１１１、図１１２は前記未焼成材を焼成する際に使用する焼成機を示すものである。
すなわち、図１１１はトンネル状の焼成機５０１内において台車５０２がレール５０３上を走行するようにしたものである。この台車５０２上に複数の焼成群５０４を搭載し、焼成機５０１内を熱風５０５の吹付け等で昇温して焼成群５０４を焼成するのである。
図１１２は焼成機５０１内での寸法誤差を解消するための工程を示すものであって、各焼成群５０４Ａ，Ｂを焼成の適宜段階で配置換えし、各焼成群５０４Ａ，Ｂが均一に焼成されるようにすることが望ましい。このようにすれば、焼成時の寸法ムラを解消することができる。
【００７６】
図１１３（ａ），（ｂ）は、係合体構造機能変身重装型積みブロック用の型枠４５１を薄肉の基盤ブロック４５１ａと突起部４５１ｂとに分割し、基盤ブロック４５１ａの上下両面の長さ方向の両端に前記突起部４５１ｂをそれぞれ接着剤等の適宜手段で固定したものである。
また図１１４は、上記型枠４５１で成形された係合体構造機能変身重装型積みブロック４７１で、３つの係合体構造機能変身重装型積みブロック４６１を連結した長さに形成されており、図１１４（ａ）では係合用凹部４７２ａの波形先端は山であり、図１１４（ｂ）では係合用凹部４７２ｂの波形先端は谷となっている。
このような樹脂製の型枠４５１を利用すれば、軽量で取り扱いやすい上、コンクリートとの剥離性もよく、複雑な形状の積みブロックを製造可能であって、製造コストを大幅に軽減することができる。
【００７７】
図１１５は、係合体構造機能変身重装型積みブロック５１１を組み付ける際に使用する滑動型構築部材５１２を示すものである。なおこの滑動型構築部材５１２として、係合体構造機能変身重装型積みブロック用の型枠４５１を利用することができる。
すなわち、基礎用ブロック５１３上に積みブロック５１１を複数段積み上げ、その上にさらに積みブロック５１１を積み上げるに際し、所望長さの上面が水平な樹脂製レール盤５１４を構築物５１６の上部に搭載し、その上面に形成したスライド溝５１５に沿って次の積みブロック５１１が送れるようになっている。５１７は搬送される積みブロック５１１を搭載した皿状断面のスライド体である。
したがって、最初に構築した積ブロックの係合部の上部に樹脂製レール盤５１４を載置し、その上を専用搬送装置により構築場所までの製品搬送が可能で、構築場所での重機と人手の縮小が可能となる。
【００７８】
図１１６（ａ）は嵩上げ工法用の係合体構造機能変身重装型積みブロックの成形枠５２１の一対の枠材の例を示し、一方の枠材５２１ａは下向きに所定の間隔で結合用のスリット５２１ｂを、他方の枠材５２１ｃは上向きに所定の間隔で結合用のスリット５２１ｄをそれぞれ設けてある。そして、一対の枠材５２１ａ，５２１ｃを図１１６（ｂ）に示すように組み付けて成形枠５２１が形成される。
この成形枠５２１で嵩上げ工法用の係合体構造機能変身重装型積みブロックの集合体が製造される。
図１１７は前記成形枠の変形例を示すものであり、枠材５２１ａの延長部材５２１ｅは幅広のコ字状クリップ５２２で枠材５２１ａに連結される。
したがって、低耕農地どうしの嵩上げと統合拡大化が必要となった場合、ｃｍ単位の高低差での構築にも対応することができ、また種々のカーブ擁壁にも対応することが可能であって、大型ダンプカーによる大量の土砂の搬入作業の削減や作業員の大幅削減に貢献して、全体として工事費の大幅な削減を実現することができる。
【００７９】
図１１８は、前記円弧状の積みブロックで構築したトンネル状構造物５３１の上に平板状の係合体構造機能変身重装型積みブロック５３２を組み付け、その上に水田５３３を構築するものである。
なお、前記トンネル状構造物５３１の内部空間は倉庫として使用することができる。
また図１１９は該トンネル状構造物３２４の上に平板状の係合体構造機能変身重装型積みブロック３２５を組み付けた例を示すものである。
【００８０】
図１２０〜図１２３は、生垣用の係合体構造機能変身重装型積みブロック３６１の例を示すものであり、図１２０に示すように、係合用突起部３６２ａおよび係合用凹部３６２ｂで構成される係合面３６２とは反対の面に、複数の筒状の丸竹材３６４を上下に並設した状態で保持する連結溝３６３が対向するよう形成されている。
図１２１は連結時に所定の角度で連結することができるようにしたものであり、係合体構造機能変身重装型積みブロック３６１とその厚さ方向にテーパ状となるよう形成した係合体構造機能変身重装型積みブロック３６５と組み合わせて連結する。また例えば係合体構造機能変身重装型積みブロック３６１とテーパ状の係合体構造機能変身重装型積みブロック３６５との間に、分岐用の係合体構造機能変身重装型積みブロック３６６を介在させることにより、さらに分岐部を備えた生垣とすることもできる。
図１２２はテーパ状の係合体構造機能変身重装型積みブロック３６５どうしを連結した別の組み付け例を示すものであり、図１２３はその概略を示す平面図である。
【産業上の利用可能性】
【００８１】
この発明によれば、擁壁等の構造物や敷設構造物（以下適宜「擁壁」と略称する）を構築することのできる係合体構造機能変身重装型積みブロックを提供することができ、相互に強固な咬み合い性保持機能を有し、間知ブロックにおける胴込みコンクリートによる打設工事、擁壁のコーナーでのコンクリート打設工事、及び目地詰め作業等をすることなく堅固で且つ多種多様な形態の擁壁を短期構築することができ、また、不要になった場合でも、移設させる場合には簡単に咬み合い状態を組み外して再利用したり、そのまま自然に還元することが可能な係合体構造機能変身重装型積みブロックとして利用することができる。
この発明は、ログハウス等の木造建築用ブロックとしても使用することも可能な係合体構造機能変身重装型積みブロックを提供することができる。
この発明はさらに、墓地用の外柵用ブロックとしても使用することも可能な係合体構造機能変身重装型積みブロックを提供することができる。
【符号の説明】
【００８２】
１１  係合体構造機能変身重装型積みブロック
１２  構造体ブロック体
１２ａ  係合用突起部
１２ｂ  係合用凹部
１３  他材質物
２１  係合体構造機能変身重装型積みブロック
２２  係合用突起部
２２ａ  山型突起部
２２ｂ  凹部
２２ｃ  Ｖ溝
２２ｄ  Ｕ溝
２２ｅ  フェルト棒
２３  他材質物
２４  カバー
３１  係合体構造機能変身重装型積みブロック
３２ａ  係合用突起部
３２ｂ  係合用凹部
３２ｃ  係合用突起部
３２ｄ  係合用凹部
３３  遮水溝
３４  遮水材
４１  係合体構造機能変身重装型積みブロック
４２ａ  凸部
４２ｂ  凹部
５１  係合体構造機能変身重装型積みブロック
５２  補強部材
５３ａ  係合用突起部
５３ｂ  係合用凹部
５４  連結孔
５５  連結棒
６１  係合体構造機能変身重装型積みブロック
６２ａ，６２ｂ  係合用突起部
６２ｃ，６２ｄ  係合用凹部
７１  係合体構造機能変身重装型積みブロック
７１ａ，７１ｂ，７１ｃ  直線状パーツ
７２ａ，７２ｂ  係合用突起部
７２ｃ，７２ｄ  係合用凹部
７３，７４  遮水溝
８１  係合体構造機能変身重装型積みブロック
８１ａ，８１ｂ，８１ｃ，８１ｄ  直線状のパーツ
９１  係合体構造機能変身重装型積みブロック
９２  吸着部
１０１ａ  係合体構造機能変身重装型積みブロック
１０１ｂ  係合体構造機能変身重装型積みブロック
１０２ａ  係合用突起部
１０２ｂ  係合用凹部
１０２ｃ  傾斜面
１０２ｄ  階段
１１１  係合体構造機能変身重装型積みブロック
１１１ａ  積みブロック本体
１１１ｂ  基盤部
１１２  擁壁用積みブロック
１１３  補強部用積みブロック
１２１  係合体構造機能変身重装型積みブロック
１２２  波形溝
１２３  係合体構造機能変身重装型積みブロック
１２４  波形溝
１２５  山形の構築物
１３１  係合体構造機能変身重装型積みブロック
１３２  波形溝
１３３  波形溝
１３４  波形溝
１３５  曲り階段
１４１  係合体構造機能変身重装型積みブロック
１４２  段差
１４３  波形溝
１５１  係合体構造機能変身重装型積みブロック１
１５２  波形溝
１６１  係合体構造機能変身重装型積みブロック
１６２ａ  係合用凹部
１６２ｂ  係合用突起部
１８１  係合体構造機能変身重装型積みブロック
１８１ａ，１８１ｂ  半分割した積みブロック
１８２  アーチ状のダム
１９１  係合体構造機能変身重装型積みブロック
１９２  構築物
１９３  サイロ
１９４  内壁
１９５  天井部
１９６  屋根部
２０１  係合体構造機能変身重装型積みブロック
２０２ａ  係合用突起部
２０２ｂ  係合用凹部
２０３  アンカー部
２０４  分岐用のブロック
２１１  係合体構造機能変身重装型積みブロック
２１２ａ  係合用突起部
２１２ｂ  係合用凹部
２２１  係合体構造機能変身重装型積みブロック
２２２ａ  係合用突起部
２２２ｂ  係合用凹部
２２３  植生懸架溝
２２４  植生懸架溝
２２５  植生懸架用溝
２３１  係合体構造機能変身重装型積みブロック
２３２  植生懸架溝
２３３  植生
２４１  係合体構造機能変身重装型積みブロック
２４１ａ，２４１ｂ  半割りの２つのパーツ
２４１ｃ  凹凸
２４１ｄ，２４１ｅ  半割りの２つのパーツ
２４１ｆ，２４１ｇ  半割りの２つのパーツ
２４１ｈ，２４１ｉ  半割りの２つのパーツ
２４１ｊ  突条
２４１ｋ  凹溝
２４２ａ  係合用突起部
２４２ｂ  係合用凹部
２４３  段差
２４４  凹溝
２４５  構築物
２４６  異形の構築物
２４６ａ  直線状の積みブロック
２４６ｂ  円弧状の積みブロック
２５１  係合体構造機能変身重装型積みブロック
２５２ａ  係合用突起部
２５２ｂ  係合用凹部
２５２ｃ  係合用突起部
２５２ｄ  係合用凹部
２５３  開口部
２６１  係合体構造機能変身重装型積みブロック
２６２ａ  係合用突起部
２６２ｂ  係合用凹部
２６３  衝撃吸収材
２６４  構築物
２７１  先端かぎ状係合体構造機能変身重装型積みブロック
２７２  Ｔ字形の係合突起
２７３  Ｔ字形の係合切欠き
２７３ａ  横長部分
２７３ｂ  横細部分
３１１  係合体構造機能変身重装型積みブロック
３１１ａ  側壁
３１１ｂ  水抜き穴
３１２ａ  係合用突起部
３１２ｂ  係合用凹部
３１３  Ｕ字溝
３１３ａ  仕切り板
３１４  積みブロック
３１５  Ｕ字溝
３２１  係合体構造機能変身重装型積みブロック
３２２ａ  係合用突起部
３２２ｂ  係合用凹部
３２３  遮水溝
３２４  トンネル状構造物
３２５  係合体構造機能変身重装型積みブロック
３２６  土砂
３３１  係合体構造機能変身重装型積みブロック
３３２ａ  係合用突起部
３３２ｂ  係合用凹部
３３３  制流用突起稜
３４１  係合体構造機能変身重装型積みブロック
３４２ａ  係合用突起部
３４２ｂ  係合用凹部
３４３  制流用突起稜
３５１  係合体構造機能変身重装型積みブロック
３５２ａ  係合用突起部
３５２ｂ  係合用凹部
３５３，３５４  充填口
３６１  係合体構造機能変身重装型積みブロック
３６２  係合面
３６２ａ  係合用突起部
３６２ｂ  係合用凹部
３６３  連結溝
３６４  丸竹材
３６５  係合体構造機能変身重装型積みブロック
３６６  分岐用の係合体構造機能変身重装型積みブロック
３７１ａ  耐震用ブロック
３７１ｂ  耐震用ブロック
３７２ａ  Ｈ型鋼
３７２ｂ  積みブロック
３７３ａ  コイルバネ
３７３ｂ  コイルバネ
３７４  建築物の基礎
３７５  基礎用ブロック
３８１  型鋼
３８２ａ  幅広の下部基盤部
３８２ｂ  幅狭の上部基盤部
３８３  支柱部
３８４  切欠き部
３９１  型鋼
３９１ａ  本体Ｈ型鋼
３９１ｂ  分岐Ｈ型鋼
３９２  型鋼
３９２ａ  本体Ｈ型鋼
３９２ｂ  分岐Ｈ型鋼
３９２ｃ  仕切り板
３９３  型鋼
３９３ａ  幅広の下部基盤部
３９３ｂ  幅狭の上部基盤部
３９３ｃ  支柱部
３９４  分岐型鋼
３９５  挿入口
４０１  建築用耐震土台
４０２  Ｈ型鋼
４０２ａ  上部凹部
４０２ｂ  下部凹部
４０２ｃ  上部凹部
４０３  弾性体
４０４  柱
４０５  木製土台
４０６，４０７  木製ブロック
４０６ａ  長尺の木製ブロック
４０６ｂ  係合部位
４０６ｃ  木製ブロック
４０８，４０９  係合ブロック
４０９ａ  コンクリート（または梁状）土台
４０９ｂ  鉄枠
４０９ｃ  鋼製のスライド吸収盤
４１０  べた打ちコンクリート
４１１  貫通孔
４１２  柔軟棒
４１３，４１４  固定具
４１５  鍵状辺
４２１  弾性体
４２１ａ  免震ゴム等の弾性体
４２１ｂ  鋼板
４２１ｃ  皿状鋼板
４２２  ベアリング受け
４２３  凹面
４２４  ベアリング
４２４ａ  外側ベアリング
４２４ｂ  内側ベアリング
４２５  仕切り筒
４２６  柔軟棒
４２７  貫通孔
４３１  弾性体
４３２  凹溝
４３３  Ｈ型鋼
４３４  凹面
４３５  球面盤
４３６  球面体
４３７  免震ゴム
４４１  弾性体
４４１ａ  円弧状の弾性体
４４１ｂ  鋼板
４４２  ベアリング
４４３  Ｈ型コンクリート
４４４  Ｈ型鋼
４４５  弾性体
４４５ａ  切込み
４４６  土台
４４７  基礎
４４８  弾性体受け
４５１  係合体構造機能変身重装型積みブロック用の型枠
４５１ａ  基盤ブロック
４５１ｂ  突起部
４６１  係合体構造機能変身重装型積みブロック
４６１ａ  基盤ブロック
４６１ｂ  突起部
４７１  係合体構造機能変身重装型積みブロック
４７２ａ  係合用突起部
４７２ｂ  係合用凹部
４８１ａ  基盤ブロック
４８１ｂ  突起部
４８２  押出成形機
４９１  係合体構造機能変身重装型積みブロック
４９１ａ  突起部
４９１ｂ  本体部
４９２  カッタ
５０１  焼成機
５０２  台車
５０３  レール
５０４  焼成群
５０４Ａ，Ｂ  焼成群
５０５  熱風
５１１  係合体構造機能変身重装型積みブロック
５１２  滑動型構築部材
５１３  基礎用ブロック
５１４  樹脂製レール盤
５１５  スライド溝
５１６  構築物
５１７  載荷用スライド体
５２１  係合体構造機能変身重装型積みブロックの成形枠
５２１ａ  枠材
５２１ｂ  スリット
５２１ｃ  枠材
５２１ｄ  スリット
５２１ｅ  延長部材
５２２  コ字状クリップ
５３１  トンネル状構造物
５３２  係合体構造機能変身重装型積みブロック
５３３  水田
５４１  積みブロック
５４２  連結用係合孔
５４３  植生根
【図１】
2017198022.tif 000003
【図２】
2017198022.tif 000004
【図３】
2017198022.tif 000005
【図４】
2017198022.tif 000006
【図５】
2017198022.tif 000007
【図６】
2017198022.tif 000008
【図７】
2017198022.tif 000009
【図８】
2017198022.tif 000010
【図９】
2017198022.tif 000011
【図１０】
2017198022.tif 000012
【図１１】
2017198022.tif 000013
【図１２】
2017198022.tif 000014
【図１３】
2017198022.tif 000015
【図１４】
2017198022.tif 000016
【図１５】
2017198022.tif 000017
【図１６】
2017198022.tif 000018
【図１７】
2017198022.tif 000019
【図１８】
2017198022.tif 000020
【図１９】
2017198022.tif 000021
【図２０】
2017198022.tif 000022
【図２１】
2017198022.tif 000023
【図２２】
2017198022.tif 000024
【図２３】
2017198022.tif 000025
【図２４】
2017198022.tif 000026
【図２５】
2017198022.tif 000027
【図２６】
2017198022.tif 000028
【図２７】
2017198022.tif 000029
【図２８】
2017198022.tif 000030
【図２９】
2017198022.tif 000031
【図３０】
2017198022.tif 000032
【図３１】
2017198022.tif 000033
【図３２】
2017198022.tif 000034
【図３３】
2017198022.tif 000035
【図３４】
2017198022.tif 000036
【図３５】
2017198022.tif 000037
【図３６】
2017198022.tif 000038
【図３７】
2017198022.tif 000039
【図３８】
2017198022.tif 000040
【図３９】
2017198022.tif 000041
【図４０】
2017198022.tif 000042
【図４１】
2017198022.tif 000043
【図４２】
2017198022.tif 000044
【図４３】
2017198022.tif 000045
【図４４】
2017198022.tif 000046
【図４５】
2017198022.tif 000047
【図４６】
2017198022.tif 000048
【図４７】
2017198022.tif 000049
【図４８】
2017198022.tif 000050
【図４９】
2017198022.tif 000051
【図５０】
2017198022.tif 000052
【図５１】
2017198022.tif 000053
【図５２】
2017198022.tif 000054
【図５３】
2017198022.tif 000055
【図５４】
2017198022.tif 000056
【図５５】
2017198022.tif 000057
【図５６】
2017198022.tif 000058
【図５７】
2017198022.tif 000059
【図５８】
2017198022.tif 000060
【図５９】
2017198022.tif 000061
【図６０】
2017198022.tif 000062
【図６１】
2017198022.tif 000063
【図６２】
2017198022.tif 000064
【図６３】
2017198022.tif 000065
【図６４】
2017198022.tif 000066
【図６５】
2017198022.tif 000067
【図６６】
2017198022.tif 000068
【図６７】
2017198022.tif 000069
【図６８】
2017198022.tif 000070
【図６９】
2017198022.tif 000071
【図７０】
2017198022.tif 000072
【図７１】
2017198022.tif 000073
【図７２】
2017198022.tif 000074
【図７３】
2017198022.tif 000075
【図７４】
2017198022.tif 000076
【図７５】
2017198022.tif 000077
【図７６】
2017198022.tif 000078
【図７７】
2017198022.tif 000079
【図７８】
2017198022.tif 000080
【図７９】
2017198022.tif 000081
【図８０】
2017198022.tif 000082
【図８１】
2017198022.tif 000083
【図８２】
2017198022.tif 000084
【図８３】
2017198022.tif 000085
【図８４】
2017198022.tif 000086
【図８５】
2017198022.tif 000087
【図８６】
2017198022.tif 000088
【図８７】
2017198022.tif 000089
【図８８】
2017198022.tif 000090
【図８９】
2017198022.tif 000091
【図９０】
2017198022.tif 000092
【図９１】
2017198022.tif 000093
【図９２】
2017198022.tif 000094
【図９３】
2017198022.tif 000095
【図９４】
2017198022.tif 000096
【図９５】
2017198022.tif 000097
【図９６】
2017198022.tif 000098
【図９７】
2017198022.tif 000099
【図９８】
2017198022.tif 000100
【図９９】
2017198022.tif 000101
【図１００】
2017198022.tif 000102
【図１０１】
2017198022.tif 000103
【図１０２】
2017198022.tif 000104
【図１０３】
2017198022.tif 000105
【図１０４】
2017198022.tif 000106
【図１０５】
2017198022.tif 000107
【図１０６】
2017198022.tif 000108
【図１０７】
2017198022.tif 000109
【図１０８】
2017198022.tif 000110
【図１０９】
2017198022.tif 000111
【図１１０】
2017198022.tif 000112
【図１１１】
2017198022.tif 000113
【図１１２】
2017198022.tif 000114
【図１１３】
2017198022.tif 000115
【図１１４】
2017198022.tif 000116
【図１１５】
2017198022.tif 000117
【図１１６】
2017198022.tif 000118
【図１１７】
2017198022.tif 000119
【図１１８】
2017198022.tif 000120
【図１１９】
2017198022.tif 000121
【図１２０】
2017198022.tif 000122
【図１２１】
2017198022.tif 000123
【図１２２】
2017198022.tif 000124
【図１２３】
2017198022.tif 000125